(57)【要約】      （修正有）【課題】災害等の緊急時用飲料水の貯水及び給水槽に関し、軽量で組み立て及び分解・折り畳みが容易で輸送・設置がし易く、使用しないときは嵩張らずに管理保管に便利な構造にし、しかも低コストで得られる給水槽の給水口金に短い導水管と分配管を介し複数の蛇口を直付けできるようにした。【解決手段】段ボールで八角形の筒形本体を成形し、上下開口を塞ぐために上蓋２と底蓋３を備えると共に筒形本体１に収納した貯水袋の下部側面の開口部５に設けてある開閉コック７を具備する注水兼給水口金６を上記の開口部５に接続し、貯水袋に注水完了後に開閉コック７を閉止する構成において、当該注水兼給水口金６に長さの短い導水管の先端を左方向に位置する所定長さの分配管の中央部に結合し、且つ当該導水管の基端部を注水兼給水口金６の開口に接続すると共に、当該分配管の左右両端部に蛇口１７を設けた構成。【選択図】図１１
0003193433.tif 000002
【実用新案登録請求の範囲】
【請求項１】
複数層の段ボールで八角形の筒形本体を成形し、その各面の底部に内向き直角に折り曲げる支受片(11)を一体に設け、当該筒形本体（１）の上下開口を塞ぐために上蓋（２）と底蓋（３）の各辺に立上がり片(21)を成形すると共に、当該立上がり片とほぼ同じ高さの折返し片(22)を形成して一辺おきに立上がり片の左右両側に差込突起(33)を設け、これを隣接する立ち上がり片(31)と折返し片(32)の間に差込んで底蓋（３）を成形して筒形本体（１）の底部を差し込み、筒形本体（１）の対向二辺の下部に口金通し孔（８）と底蓋（３）の立上がり片(31)の上縁に切欠き凹部（９）をそれぞれ設けてこれらを位置合わせし、筒形本体（１）に収納した貯水袋（４）の下部側面に設けてある開口部（５）に開閉コック(７)を具備する注水兼給水口金（６）の基端を切欠き凹部（９）の位置で接続し、当該注水兼吸水口金（６）から注入する飲料水の規定水量を確認するための覗き窓（１０）を筒形本体の正背面側の上部に形成し、貯水袋に注水完了後に開閉コック（７）を閉止する構成において、当該注水兼給水口金（６）に長さの短い導水管（１５）の先端を左方向に位置する所定長さの分配管（１６）の中央部に結合し、且つ当該導水管の基端部を注水兼給水口金（６）の開口に接続すると共に、当該分配管（１６）の左右両端部に蛇口（１７）を設けたことを特徴とする災害等の緊急時用飲料水の貯水及び給水槽。
【請求項２】
導水管（１５）の長さを蛇口（１７）が仮設台（Ｂ）より少し前方に突出する程度の範囲で設定し、当該導水管（１５）の先端と分配管（１６）をＴ字形状に接続し、当該分配管の左右両端に蛇口（１７）を設けたこと請求項１記載の災害等の緊急時用飲料水の貯水及び給水槽。
【考案の詳細な説明】
【技術分野】
【０００１】
本考案は、災害等の緊急時用飲料水の貯水及び給水槽に関するもので、軽量で組み立て及び分解・折り畳みが容易で輸送・設置がし易く、使用しないときは嵩張らずに管理保管に便利な構造にし、しかも低コストで得られる給水槽の給水口金に短い導水管と分配管を介し複数の蛇口を直付けできるようにしたものである。
【背景技術】
【０００２】
一般に、大きな地震が発生すると、ライフラインの水道、電気、ガス等が遮断されて生活機能が失われる。そのような場合、特に飲料水の確保が必要不可欠になる。
【０００３】
災害時における飲料水の確保については、従来から様々な技術が開示されている。その中でも１０ton以上の地下埋設型や２〜３tonの地上設置の大型のポリタンクや、２〜３トンの給水車からの直接配給を除く、１ton程度の飲料水が貯水できるポリエチレン製の袋体を用い、これを保持する槽を比較的小規模ながら、緊急時に迅速に組み立てて貯水し、災害現場に設置して被災者に安全迅速に給水できる貯水槽が望まれる。
【０００４】
従来においても、ポリエチレン等のプラスチック系の貯水袋をプラスチック又は木材や金属製の枠と側板等で保持する構造のものが知られている。
【先行技術文献】
【特許文献】
【０００５】
【特許文献１】特開平０８−１６４９９１号の発明
【特許文献２】実用新案登録第３１５９３０４号の登録実用新案
【特許文献３】実用新案登録第３１８２０８５号の登録実用新案
【考案の概要】
【考案が解決しようとする課題】
【０００６】
上記特許文献１の発明は、各種液体類を輸送乃至貯蔵する際に、簡単に組立てて使用することができる組立式液体用コンテナを提供することを目的とし、その構成は、底部基礎台の上に、下部に排液口用孔部が穿設されたコンテナ側壁用筒状体が載置され、上部に給液口、下部に排液口が夫々設けられた液貯留用袋体が、該排液口をコンテナ側壁用筒状体の排液口用孔部に位置させた態様でコンテナ側壁用筒状体の内部に収納されると共に、コンテナ側壁用筒状体の天井面が蓋体で被覆されてなる組立式液体用コンテナである。
これによって、各種液体類の輸送乃至貯蔵の際に、簡単に組立てて使用することができ、液体輸送後や不使用時には、通常、折りたたむことができ、取扱いが容易で無用の空間容積を要しない就中、液体の一時的な簡易な貯蔵や輸送に利便であって費用の面でも有利である、としている。
しかしながら、このコンテナは、主として各種液体類の一時的な輸送乃至貯蔵するものであるから、本考案のように災害現場での飲用給水を目的とするものではないため、その給水口その飲用給水に向く配慮はされていない。
【０００７】
また、特許文献２及び特許文献３は、本考案の出願人の権利に係るものであり、その目的とするところは、軽量で組み立て及び分解・折り畳みが容易で、不使用時は嵩張らずに保管に便利な緊急時用飲料水の貯水及び給水槽を提供する。
例えば図１５に示すように、八角形又は十六角形の筒形本体１の各面の底縁に内向きに折り曲げる支受片１１を一体に設ける。上蓋２と底蓋３の各辺に立上がり片２１、３１を成形する。立上がり片とほぼ同じ高さの折返し片３２を形成し、一辺おきの立上がり片の左右両側に設けた差込突起３３を隣接する立ち上がり片と折返し片の間に差込んで底蓋３を成形する。筒形本体1の口金通し孔８と底蓋３に設けた凹部９を位置合わせする。筒形本体１に収納した貯水袋４の下部側面に設けてある開閉コック付きの注水兼給水口金を口金通し孔と底蓋３に設けた凹部９に配置する。そして、給水槽に繋ぐ給水部は、当該給水槽の給水口５と貯水袋４の注水兼給水口金６に給水ホース１８を接続してコック７を開いて貯水袋４に所定量（図示例で１ton）を給水する。そして、給水完了後、コック７を閉止すると共に給水車の給水ホースを注水口兼吸水口金６から外す。上記の注水兼吸水口金６と複数個の蛇口１７を具備してある給水スタンド１９に所定長さ（実施例で１．６ｍ）の給水ホース１８を接続する。コック７を開くと給水ホース１８を通じ、給水スタンド１９の複数の蛇口１７から給水できるようになる。
【０００８】
ところで、上記の給水ホース１５は衛生上の要求から、ステンレス製のものが用いられ、且つ給水スタンドも真鍮などの防錆や耐腐蝕性の材質が用いられる。そのため、多角形の本体が段ボール製で安価であるが、給水ホースやスタンドがきわめて高額になるため、導入を希望する自治体や各種団体にとって課題であった。
また、給水場所によっては、足場が悪く、また、狭い場所でスタンドの設置に不向きな場合がある。
【０００９】
そこで、本考案は、段ボール製本体、上下の蓋、貯水袋等からなる給水槽は、特許文献２・３と共通するものの、給水口の構造を改良して当該特許文献２．３と同じ効果を有しながら、さらに給水部の構造を簡単な構造にすることによって使用時の設置と不要時の分離・管理をするのに便利で安価に得られるようにしたことを目的とする。
【課題を解決するための手段】
【００１０】
上記の目的を達成するために本考案の第１は、複数層の段ボールで八角形の筒形本体を成形し、その各面の底部に内向き直角に折り曲げる支受片を一体に設け、当該筒形本体の上下開口を塞ぐために上蓋と底蓋の各辺に立上がり片を成形すると共に、当該立上がり片とほぼ同じ高さの折返し片を形成して一辺おきに立上がり片の左右両側に差込突起を設け、これを隣接する立ち上がり片と折返し片の間に差込んで底蓋を成形して筒形本体の底部を差し込み、筒形本体の対向二辺の下部に口金通し孔と底蓋の立上がり片の上縁に切欠き凹部をそれぞれ設けてこれらを位置合わせし、筒形本体に収納した貯水袋の下部側面に設けてある開口部に開閉コックを具備する注水兼給水口金を上記の切欠き凹部の位置で接続し、当該注水兼吸水口金から注入する飲料水の規定水量を確認するための覗き窓を筒形本体の正背面側の上部に形成し、貯水袋に注水完了後に開閉コックを閉止する災害等の緊急時用飲料水の貯水及び給水槽の構成において、当該注水兼給水口金に長さの短い導水管の先端を左方向に位置する所定長さの分配管の中央部に結合し、且つ当該導水管の基端部を注水兼給水口金の開口に接続すると共に、当該分配管の左右両端部に蛇口を設けたものである。
【００１１】
本考案の第２は、第１の考案に係る災害等の緊急時用飲料水の貯水及び給水槽の構成において、導水管の長さを蛇口が仮設台より少し前方に突出する程度の範囲で設定し、当該導水管の先端と分配管をＴ字形状に接続し、当該分配管の左右両端に蛇口を設けたものである。
【考案の効果】
【００１２】
本考案は上記の構成であるから、筒形本体及び上蓋と底蓋が共に紙製段ボールからなり、全体が軽量でありながら、簡形本体は八角形であることと、貯水袋の底部支受片とにより、当該筒形本体内に収納した貯水袋に１tonもある大量の飲料水を貯水しても、その水圧を多角面で分散して受けることになり、紙製であっても安定確実な耐圧効果が得られる。しかも紙製段ボールであるから外部気温に左右されずに一定の水温が保持される。
【００１３】
また、筒形本体の各辺底部に内向きに設けた支受片により、飲料水の入った貯水袋の底部を平均して支受し、貯水袋の横方向に加わる偏荷重に対して耐圧効果が増大し、且つ底蓋の立上がり片にかかる偏荷重を軽減する。
【００１４】
そして、八角形の筒形本体は、対向角の折り線から二つ折りに折り畳んで重ねることにより、ヒンジ金具等を使わなくても扁平な形状が得られる。また、上蓋及び底蓋共に八角形の立上がり片と折返し片を延ばして展開することによって単一枚の扁平のシート体となり、これらを積み重ねても嵩張らずコンパクトに倉庫や物置小屋にスペースを取らずにコンパクトに管理保管することができる。
【００１５】
八角形の筒形本体の上部開口縁辺に横断面凹溝形の補強兼防水部材を被着したことにより、複数構造の紙製八角形の筒体本体の開口縁辺端面から雨水等水分の浸入を確実に防ぐ効果がある。
【００１６】
さらに、本考案に係る緊急時用飲料水の貯水及び給水槽及び給水用蛇口は、組み立て、設置、注水、給水の準備が比較的短時間のうちに行えて効率的であり、且つこの種の給水槽にあっては、段ボール素材の使用により軽量の割に強靱であると共にこの種の給水装置としては安価に得ることができる。
また、蛇口はわずか１０ｃｍ前後の給水槽にごく近い位置に分配管及び導水管を介して直結しているので、給水槽を設置できる場所があればよく、１．５ｍ以上ある従前の長い給水ホースや、蛇口が付いているスタンドを用意しなくても確実に給水操作をすることができる。
【図面の簡単な説明】
【００１７】
【図１】本考案に係る飲料水の貯水及び給水槽の一部縦断正面図である。
【図２】図１の一部縦断側面図である。
【図３】図１の一部の拡大縦断面図である。
【図４】図１の開蓋状態の平面図である。
【図５】図４に示す底蓋立上がり片における角部の接合状態を示す拡大平面図である。
【図６】筒形本体の折り畳み状態の正面図である。
【図７】図６の平面図である。
【図８】２枚一対の本体シートの正面図である。
【図９】上蓋の展開平面図である。
【図１０】底蓋の展開平面図である。
【図１１】使用可能状態を示す斜視図である。
【図１２】図１１の注水兼給水口金に直結した導水管及び分配管を介して複数設けた蛇口ユニットの斜視図である。
【図１３】図１２における注水兼給水口金の開栓状態を示す中央縦断面図である。
【図１４】図１３における注水兼給水口金の開栓状態を閉栓状態にした中央縦断面図である。
【図１５】従来の使用可能状態を示す斜視図である。
【考案を実施するための形態】
【００１８】
本考案は上記の構成において、実施する形態は次のとおりである。
１は断面が複数層の横長の紙製段ボールで成形した略正八角形の筒形本体であり、図示例は、左右両側縁辺に綴じ代を有し、且つ略等間隔に複数の折り線１２をつけて四面体を形成してある２枚の本体シート１′・１″を折り線１２の有する面を向き合わせて重ね合わせ、その左右両側縁辺の綴じ代をステープラーＳで止着する。当該筒形本体１の底部の各辺に形成した折り線によって内向きに折り曲げて貯水袋の底部支受片１１を設けてある。なお、筒形本体の表面には撥水加工を施してある。
【００１９】
２は筒形本体１の上部開口を塞ぐ上蓋であり、単一層の紙製段ボールの蓋体シート２′とその八角形の各辺に立上がり片２１と折返し片２２を一体に設け、一辺おきの立上がり片に差込突起２３を設け、これを隣接する立上がり片２１と折返し片２２との間に差し込む構成になっている。
【００２０】
３は筒形本体の底部開口を塞ぐ底蓋であり、上蓋２と同様に単一層の紙製段ボールの蓋体シート３′とその八角形の各辺に立上がり片３１と折返し片３２を一体に設け、一辺おきの立上がり片３１に差込突起３３を設け、これを隣接する立上がり片３１と折返し片３２との間に差し込む構成になっている。
【００２１】
４は透明のポリエチレンフィルム製の貯水袋であり、その底部側面に開口部５を設け、これに注水兼給水口金６が連結されている。７は注水兼給水口金６の開閉用のコックであり、その開閉軸７１の下部に貫通孔７０′を有する球形の開閉弁７０が結合されている。
【００２２】
８は八角形の筒形本体の下部をくり抜いて形成した口金通し孔、９は底蓋の立上がり片の対向二面の上端を切り欠いて形成した凹部であり、底蓋３を筒形本体１の底部に被せるときに口金通し孔８・切欠き凹部９を位置合わせして貯水袋４のコックの配置と適合するようにする。１０は筒形本体１の対向二面の上部に設けた覗き窓であり、貯水袋４に注入する飲料水の水量を確認するためのものであり、縦長スリット状に刳り抜いた孔から貯水袋４の飲料水を視認して１tonの水量の限界や水量の変化を確認できるようになっている。上記の口金通し孔８と覗き窓１０は２枚の本体シート１′・１″を重ね合わせて抜き型プレス（図示省略）で打ち抜き加工し、組み立てるときは、左右対象に向かい合わせる。
【００２３】
１１は八角形の筒形本体１を成形するための２枚一対の本体シート１′を左右対称に重ね合わせ、その左右両側縁辺に形成した止着用綴じ代、１２は本体シートに型押しプレス等によって形成した折り線、１３は筒形本体１の底部設けた折返し片を内向きに折り曲げるための折り線、１３′は上蓋２及び底蓋３に設けた立上がり片を折曲げるための折り線、１４は筒形本体１の開口縁辺に被着した防水部材であり、図示例は断面が凹形を成す樹脂成形してある。
【００２４】
１５は筒形本体内に収容する貯水袋４の開口部５に基端を接続する開閉コック７付きの注水兼給水口金６の開口部５に接続する長さが短い導水管、１６は導水管１５と蛇口を繋ぐ分配管である。１７は分配管１６左右の先端に設けた複数個の蛇口を示す。当該導水管１５と分配管１６及び蛇口７の組み立てによって蛇口ユニットが構成されている。上記の導水管の長さは、その基端を注水兼給水口金６に接続し先端を分配管１６に接続したときに当該分配管の左右両端に設けた蛇口１７がパレットＰや仮設台Ｂより前方に突出して位置する長さとし、具体的には、７ｃｍ〜１５ｃｍ程度の短い長さの範囲で選定することを可とする。
せる透明の防水シートである。
【実施例】
【００２５】
「具体的な組立て例」
（１）  単一層の段ボールからなる底蓋シート３′（図８）の八角形の各縁辺の立上がり片３１を直角に立ち上げた後、折返し片３２を内向きに二つ折りに折返しておく。
（２）  各立上がり片の一辺おきに設けてある差込突起３３を隣接する立上がり片３１と折返し片３２との間に差し込んで八角形の外周に立上がり片を有する底蓋３が成形される。その立上がり片３１の一辺には切欠凹部９が形成されている。
（４）  次に、八角形を形成する３本の折り線を有する四面体同士を対面配置してその両側縦縁辺をステープラーで結合する（図５）。この状態から各面を折り線から拡開して底部各片１１を内向きに直角に折曲げた後、当該底部を底蓋３の八角形の立上がり片３１の内側に嵌め込むと正八角形の筒形本体が成形される。この筒形本体１の口金通し孔８を底蓋３の切欠き凹部９に位置合わせしておく。
（５）  また、単一層の段ボールからなる上蓋シート２′（図７）で八角形の各縁辺の立上がり片２１を直角に立ち上げた後、折返し片２２を内向きに二つ折りに折返しておく。
（６）  各立上がり片の一辺おきに設けてある差込突起２３を隣接する立上がり片２１と折返し片２２との間に差し込んで八角形の外周に立上がり片２１を有する上蓋２が成形される。これを筒形本体の上部開口部に上蓋２として被せる。
（７）  ポリエチレンフィルム製の貯水袋４を筒形本体１内に収納して注水兼給水口金６を口金通し孔８・切欠き凹部９に配置し、給水用の開閉コック７を当該凹部の外側に位置させておく。
（８）  上記の八角形の筒形本体１及び上蓋２、底蓋３はいずれも図９、図１０のように展開して単一枚のシート状にし、且つ貯水袋４も折り畳んで保管しておく。
【００２６】
「設置・注水・給水工程例」
（１）  災害現地等の所定の場所において、仮設台Ｂ上に設置した積載面が網目形状になっていて水はけのよいパレットＰ上に底蓋３を載置する。
（２）  貯水袋４を、折り畳み状態から伸ばして展開すると共に底部側面に設けてある注水兼給水口金６を切欠き凹部９に位置合わせして底蓋の八角形の立上がり片２１内にセットする。
（３）  八角形に組み立てた筒形本体の１の底部を、その口金通し孔８を切欠き凹部９に合わせ、貯水袋４を覆うようにして底蓋３の八角形の立上がり片２１内に嵌め込む。
（４）  一方、所定場所に到着した給水車の給水口と貯水袋４の注水兼給水口金６に蛇口ユニット（１５〜１７）を接続してコック７を開いて貯水袋４に所定量（図示例で１ton）を給水する。
（５）  給水完了後、コック７を閉栓方向に回して球形開閉弁７０を閉止した状態（図１３）にして、給水車の給水ホースを注水口兼吸水口金６から外す。
（６）  上記の注水兼吸水口金６に分配管１６・蛇口１７を結合してある導水管１５を接続する。
（７）  コック７を開栓方向に回して球形開閉弁７０を開くと、長さの短い導水管１５を通じ、分配管１６の先端に接続した複数の蛇口１７から給水できるようになる(図９)。
（８）  なお、筒形本体１等に撥水加工をしてあるが、雨天に備えて給水槽を袋状のビニールシート１８で覆って防水対策を施すことを可とする。
（９）  貯水袋４内の水が空になる位に減少して補給が必要な場合は、注水口兼吸水口金６球形開閉弁７０を閉止しておいてから、導水管１５を当該注水兼吸水口金６外した状態で、上記（４）と同じ要領で再度給水を行う。
【産業上の利用可能性】
【００２７】
本考案は、大地震等の災害に伴う緊急時における飲料水の確保と供給に適するものであるが、河川敷や海岸、公園等の野外での各種イベント会場に仮設置して飲料水の提供にも適し、また、地域における防火用水の確保にも適するものであり、用途の拡大が図れる。
【符号の説明】
【００２８】
１……八角形の筒形本体
２……上蓋
３……下蓋
４……貯水袋
５……筒形本体側面の開口部
６……注水兼給水口金
７……開閉コック
８……八角形の筒形本体の口金通し孔
９……底蓋の切欠き凹部
１０……覗き窓
１１……本体シートの綴じ代
１２……筒形本体の八角形用折り線
１３……筒形本体の下部支受片の内向き用折り線
１４……筒形本体の開口縁辺に被着した防水部材
１５……導水管
１６……分配管
１７……蛇口
【図１】
0003193433.tif 000003
【図２】
0003193433.tif 000004
【図３】
0003193433.tif 000005
【図４】
0003193433.tif 000006
【図５】
0003193433.tif 000007
【図６】
0003193433.tif 000008
【図７】
0003193433.tif 000009
【図８】
0003193433.tif 000010
【図９】
0003193433.tif 000011
【図１０】
0003193433.tif 000012
【図１１】
0003193433.tif 000013
【図１２】
0003193433.tif 000014
【図１３】
0003193433.tif 000015
【図１４】
0003193433.tif 000016
【図１５】
0003193433.tif 000017